(57)【要約】【課題】  各色毎や個体毎のＬＥＤの特性のバラツキに応じて、ＬＥＤ駆動回路に与える電圧を最適に設定できるようにした光源装置及び投影型表示装置を提供する。【解決手段】  低電圧値から徐々に増加させながら、ＬＥＤの駆動電流又はＬＥＤの光量を観察し、所定照明光量を出射し始めたと検知したときの電圧値を求めて設定電圧値とする。そして、この設定電圧値の電圧を定電圧回路の出力電圧としてＬＥＤの印加して、ＬＥＤを駆動する。これにより、各色毎や個体毎のＬＥＤの特性のバラツキに応じて、ＬＥＤ駆動回路に与える電圧を最適に設定できる。【選択図】        図２
2007005615.tif 000002
【特許請求の範囲】
【請求項１】
照明光を出射する複数の光源手段と、
前記複数の光源手段に印加する電圧値を制御する制御手段と、
前記複数の光源手段が所定照明光量を出射しているかを検知し監視する光量監視手段とを有し、
前記制御手段は、前記光源手段に印加する電圧値を低電圧値から徐々に増加させ、又は、前記光源手段に印加する電圧値を高電圧値から徐々に減少させ、
前記光量監視手段は、所定照明光量を出射し始めたと検知したときの電圧値、又は、所定照明光量が得られなくなったと検知したときの電圧値を求め、これに基づいて設定電圧値を取得し、
前記制御手段は、この設定電圧値の電圧を前記複数の光源手段に印加する
ことを特徴とする光源装置。
【請求項２】
前記複数の光源手段は複数のＬＥＤであること特徴とする請求項１に記載の光源装置。
【請求項３】
前記光量監視手段は前記複数の光源手段それぞれに対して個別に前記設定電圧値を求め、
前記制御手段は前記個別に求めた設定電圧値で前記複数の光源手段にそれぞれ印加する電圧値を制御すること特徴とする請求項１に記載の光源装置。
【請求項４】
前記複数のＬＥＤはそれぞれ異なった順方向電圧特性を有し、
前記光量監視手段は前記順方向電圧特性が略同じＬＥＤをグループとし、グループ毎に前記設定電圧値を求め、
前記制御手段は前記グループ毎に求めた設定電圧値で前記複数のＬＥＤに印加する電圧値を制御すること特徴とする請求項２に記載の光源装置。  
【請求項５】
前記複数の光源手段が出射するそれぞれの照明光は複数の色を有し、
前記光量監視手段は前記出射する照明光色が同じ光源手段をグループとして前記設定電圧値を求め、
前記制御手段は前記グループ毎に求めた設定電圧値で前記複数の光源手段に印加する電圧値を制御すること特徴とする請求項１に記載の光源装置。  
【請求項６】
前記設定電圧値を記憶する記憶手段を更に有し、動作時においてはその設定電圧値を前記光源手段に供給することを特徴とする請求項１に記載の光源装置。
【請求項７】
前記光量監視手段は、前記複数の光源手段が出射する照明光の光量値を検出するセンサを有し、
このセンサで検出した光量値に基づいて前記光源手段が所定照明光量を出射し始めたか否かを検知すること特徴とする請求項１に記載の光源装置。
【請求項８】
前記センサは、その感度特性が人間の被視感度特性と同様であり、且つ、検出した光量値を電圧値に変換する電流−電圧変換回路を有し、
前記電流−電圧変換回路の増幅率は、前記光源手段の発光色に応じて増幅率を変化させること特徴とする請求項７に記載の光源装置。
【請求項９】
前記センサが検出した光量値を変換した電圧値により、前記光源手段の電圧を制御することを特徴とする請求項８に記載の光源装置。
【請求項１０】
前記光量監視手段は、前記光源手段に流れる電流値と前記光源手段が出射する照明光量との関係を記憶する第２の記憶手段を有し、検出した前記光源手段に流れる電流値に対応する照明光量を第２の記憶手段から推定すること特徴とする請求項１に記載の光源装置。
【請求項１１】
前記複数の光源手段が出射した照明光を合成して１つの照明光とする合成光学手段を更に有し、前記光量監視手段は、合成した照明光の光量から所定照明光量を出射し始めたか否かを検知すること特徴とする請求項１に記載の光源装置。
【請求項１２】
請求項１記載の光源装置を用いた投影型表示装置であって、
更に、空間変調手段と、投影光学手段を有すること特徴とする投影型表示装置。
【発明の詳細な説明】
【技術分野】
【０００１】
本発明は、投射面に画像を表示するプロジェクタに用いられる光源装置に関するもので、特に、ＬＥＤ(発光ダイオード：Light Emitting Diode)を光源として用いた場合の電源電圧の設定に関する。
【背景技術】
【０００２】
近年、小型のプロジェクタでは、画像データに応じてマトリクス状に配列された各画素の微小ミラーをＰＷＭ(Pulse Width Modulation)駆動によりオン状態とオフ状態の角度に高速に切り替えて照明光を変調するＤＭＤ（Digital Micromirror Device）素子のような空間光変調素子が使われ始めている。
【０００３】
空間光変調素子では、従来の液晶表示素子と異なり、高速動作が可能であるため、Ｒ（赤）、Ｇ（緑）、Ｂ（青）の画像を面順次方式で表示することができる。また、液晶表示素子を用いたプロジェクタでは、カラー画像を表示するのに３枚のＬＣＤ(Liquid Crystal Display)素子が必要であるのに対し、空間光変調素子を用いたプロジェクタでは、１つのＤＭＤ素子でカラー表示を行うことができる。
【０００４】
このような空間光変調素子を用いたプロジェクタでは、従来、光源として白色光のランプが用いられている。すなわち、従来の空間光変調素子を用いたプロジェクタでは、入力画像を面順次の画像信号に変換して空間光変調素子に供給し、ＲＧＢに塗り分けられたカラーホイールを入力画像の垂直同期信号に同期させて回転させ、ランプからの光をカラーホイールを介して空間光変調素子に照射するようにしている。しかしながら、プロジェクタの光源としてランプを用いると、消費電力が大きくなると共に、カラーホイールが必要となる。
【０００５】
これに対して、近年、このようなプロジェクタの光源として、ＬＥＤを用いることが検討されている。ＬＥＤは、ランプに比べて、小型、高耐性、長寿命、低消費電力などの利点がある。また、ＲＧＢの３色のＬＥＤを用いれば、カラーホイールは不要となり、然も、優れた色特性が得られる。更に、空間光変調素子を用いた場合には、液晶表示素子のような偏光依存性が無いため、ＬＥＤなどの無偏光の光を発生する光源に対して、損失の少ない光学系が簡単に構成できる。
【０００６】
光源としてＬＥＤを用いたプロジェクタに用いることができるＬＥＤの駆動回路としては、例えば、特許文献１、特許文献２、特許文献３に示されるものがある。
【０００７】
特許文献１に示されるものは、各色ＬＥＤの駆動電圧を印加電圧格納レジスタに記憶させ、各色ＬＥＤを独立の駆動電圧で駆動することで、消費電流を低減させるようにしたものである。
【０００８】
特許文献２に示されるものは、電圧及び電流を供給し負荷を駆動する負荷駆動回路と、負荷駆動回路が駆動する負荷条件を切り替えるＬＥＤ切替スイッチと、ＬＥＤ切替スイッチが切り替えた後のＬＥＤの特性情報を切り替え前に取得し、切り替えの切替タイミングに同期して、負荷駆動回路がＬＥＤを駆動する電圧と電流を切り替え後のＬＥＤの特性情報に応じた電圧と電流に設定するＬＥＤ点灯コントローラとにより、時間的に駆動条件を切り替えながらＬＥＤを駆動する駆動装置を構成するものである。
【０００９】
特許文献３に示されるものは、互いに異なる発光色の複数のＬＥＤで構成された絵素を有するＬＥＤ表示装置の駆動回路において、これらの複数のＬＥＤに接続された共通のドライバーと、電源回路からの電圧を、これらの複数のＬＥＤのうち各発光色のＬＥＤに順次切り替えて供給する第１の切替手段と、第１の切替手段の切り替え動作と同期して、ドライバーに各発光色用の表示データを順次切り替えて供給する第２の切替手段とを備えたものである。
【特許文献１】特開２００４−３１１４６０号公報
【特許文献２】特開２００４−３１１６３５号公報
【特許文献３】特開２００２−２４４６１９号公報
【発明の開示】
【発明が解決しようとする課題】
【００１０】
ＬＥＤを定電流回路で駆動する場合、ＬＥＤに定電圧電源から電源を与え、この電源を定電流で駆動している。ＬＥＤには、固有の順方向電圧Ｖｆがある。したがって、定電圧回路の出力電圧は、順方向電圧Ｖｆより高く設定する必要がある。しかしながら、定電圧回路の出力電圧が高すぎると、順方向電圧Ｖｆより高い電圧分は、無駄に消費されることになる。このため、定電圧回路の出力電圧をあまり高くすると、消費電力が大きくなり、発熱が大きくなるという問題が生じる。したがって、定電圧回路の出力電圧は、ＬＥＤの順方向電圧Ｖｆよりも、僅かに高い電圧に設定することが望ましい。ＬＥＤの順方向電圧Ｖｆは、各色毎のバラツキや、個体毎のバラツキがある。このため、定電圧回路の電圧を理想的に設定するためには、各色毎や個体毎のバラツキを考慮して、定電圧回路の出力電圧を設定する必要がある。
【００１１】
上記特許文献１〜３には、ＬＥＤを定電流で駆動することについては記載されているが、定電圧回路の電圧の最適化については、記載されていない。
【００１２】
本発明は、上述の課題を鑑み、各色毎や個体毎のＬＥＤの特性のバラツキに応じて、ＬＥＤ駆動回路に与える電圧を最適に設定できるようにした光源装置及び投影型表示装置を提供することも目的とする。
【課題を解決するための手段】
【００１３】
上述の課題を解決するために、請求項１の発明は、照明光を出射する複数の光源手段と、複数の光源手段に印加する電圧値を制御する制御手段と、複数の光源手段が所定照明光量を出射しているかを検知し監視する光量監視手段とを有し、制御手段は、光源手段に印加する電圧値を低電圧値から徐々に増加させ、又は、光源手段に印加する電圧値を高電圧値から徐々に減少させ、光量監視手段は、所定照明光量を出射し始めたと検知したときの電圧値、又は、所定照明光量が得られなくなったと検知したときの電圧値を求め、これに基づいて設定電圧値を取得し、制御手段は、この設定電圧値の電圧を複数の光源手段に印加することを特徴とする光源装置である。
【００１４】
請求項２の発明は、請求項１の発明において、複数の光源手段は複数のＬＥＤであること特徴とする。
【００１５】
請求項３の発明は、請求項１の発明において、光量監視手段は複数の光源手段それぞれに対して個別に設定電圧値を求め、制御手段は個別に求めた設定電圧値で複数の光源手段それぞれに印加する電圧値を制御すること特徴とする。
【００１６】
請求項４の発明は、請求項２の発明において、複数のＬＥＤはそれぞれ異なった順方向電圧特性を有し、光量監視手段は順方向電圧特性が略同じＬＥＤをグループとし、グループ毎に設定電圧値を求め、制御手段はグループ毎に求めた設定電圧値で複数のＬＥＤに印加する電圧値を制御すること特徴とする。
【００１７】
請求項５の発明は、請求項１の発明において、複数の光源手段が出射するそれぞれの照明光は複数の色を有し、光量監視手段は出射する照明光色が同じ光源手段をグループとして設定電圧値を求め、制御手段はグループ毎に求めた設定電圧値で複数の光源手段に印加する電圧値を制御すること特徴とする。  
【００１８】
請求項６の発明は、請求項１の発明において、設定電圧値を記憶する記憶手段を更に有し、動作時においてはその設定電圧値を光源手段に供給することを特徴とする。
【００１９】
請求項７の発明は、請求項１の発明において、光量監視手段は、複数の光源手段が出射する照明光の光量値を検出するセンサを有し、このセンサで検出した光量値に基づいて光源手段が所定照明光量を出射し始めたか否かを検知すること特徴とする。
【００２０】
請求項８の発明は、請求項７の発明において、センサは、その感度特性が人間の被視感度特性と同様であり、且つ、検出した光量値を電圧値に変換する電流−電圧変換回路を有し、電流−電圧変換回路の増幅率は、光源手段の発光色に応じて増幅率を変化させること特徴とする。
【００２１】
請求項９の発明は、請求項８の発明において、センサが検出した光量値を変換した電圧値により、光源手段の電圧を制御することを特徴とする。
【００２２】
請求項１０の発明は、請求項１の発明において、光量監視手段は、光源手段に流れる電流値と光源手段が出射する照明光量との関係を記憶する第２の記憶手段を有し、検出した光源手段に流れる電流値に対応する照明光量を第２の記憶手段から推定すること特徴とする。
【００２３】
請求項１１の発明は、複数の光源手段が出射した照明光を合成して１つの照明光とする合成光学手段を更に有し、光量監視手段は、合成した照明光の光量から所定照明光量を出射し始めたか否かを検知すること特徴とする。
【００２４】
請求項１２の発明は、請求項１の光源装置を用いた投影型表示装置であって、更に、空間変調手段と、投影光学手段を有すること特徴とする。
【発明の効果】
【００２５】
本発明によれば、ＬＥＤに印加する定電圧回路の電圧値を、低電圧値から徐々に増加させながら、ＬＥＤの駆動電流又はＬＥＤの光量を観察し、所定照明光量を出射し始めたと検知したときの電圧値を求めて設定電圧値としている。そして、この設定電圧値の電圧を定電圧回路の出力電圧としてＬＥＤに印加して、ＬＥＤを駆動するようにしている。これにより、各色毎や個体毎のＬＥＤの特性のバラツキに応じて、ＬＥＤ駆動回路に与える電圧を最適に設定できる。
【発明を実施するための最良の形態】
【００２６】
以下、本発明の実施の形態について図面を参照しながら説明する。本発明は、光源としてＬＥＤを用いたプロジェクタにおける光源装置に用いられる。
【００２７】
１．回転光学系を用いたプロジェクタの構成
図１は、本発明が適用できる回転光学系を用いたプロジェクタの全体構成を示すものである。図１において、制御回路１はＣＰＵ(Central Processing Unit)等からなり、プロジェクタの全体の動作を制御している。制御回路１に対して、メモリ２、入力部３、表示部４が設けられる。
【００２８】
入力部３は、オペレータ操作情報等、外部からの入力情報を制御回路１に通知するもので、入力部３としては、各種設定を行うための操作パネルやリモコン等が含まれる。表示部４は、制御回路１の指示により装置内回路の状態をＬＥＤインジケータなどを使用して、外部に通知するものである。
【００２９】
入力端子１１に画像信号が供給される。入力端子１１からの画像信号は、ＤＭＤ駆動制御回路１２に送られる。ＤＭＤ駆動制御回路１２は、種々の入力画像信号に対して、その入力画像信号の形態に応じて、同期分離、ＹＣ分離、ＩＰ変換、解像度変換、色変換、台形補正等の映像信号処理を行う。ここで、ＹＣ分離は、輝度信号とクロマ信号とを分離する処理である。ＩＰ変換は、インターレース走査からプログレシブ走査への変換である。そして、ＤＭＤ駆動制御回路１２は、色ずれ防止のために入力画像信号のフィールド周波数の変換処理を行い、更に、入力画像信号に基づくＲＧＢの面順次の画像信号を形成する。この面順次の画像信号は、ＤＭＤ駆動信号として、ＤＭＤ素子１５に供給される。
【００３０】
ＤＭＤ素子１５は、その表面に多数の微小なミラーを配置し、その角度を画素毎に変えられる空間光変調素子である。ＤＭＤ駆動制御回路１２からのＤＭＤ駆動信号がＤＭＤ素子１５に与えられると、ＤＭＤ素子１５の表面の微小なミラーの角度が変えられ、これにより光の進路が変えられ、画素単位で光のオン／オフが行われる。
【００３１】
また、ＤＭＤ駆動制御回路１２で分離された垂直同期信号ＶＳｙｎｃは、タイミング生成回路１６に供給される。タイミング生成回路１６で、ＬＥＤの駆動パルスが生成される。このＬＥＤの駆動パルスがＬＥＤ駆動回路１７に供給される。ＬＥＤ駆動回路１７により、回転光学系２１に配置された複数のＬＥＤ２２ｒ、２２ｇ、２２ｂに順次駆動電流が流される。これにより、入力画像信号の垂直同期信号に基づいて、複数のＬＥＤ２２ｒ、２２ｇ、２２ｂが順次点灯される。
【００３２】
回転光学系２１は、図２に示すように、複数のＲ色のＬＥＤ２２ｒ、複数のＧ色のＬＥＤ２２ｇ、複数のＢ色のＬＥＤ２２ｂが円周上に実装され配列されているＬＥＤ基板２６と、回転ロッド２３と、モータ２４とから構成されている。この回転ロッド２３は、これら円周上に配置された複数のＬＥＤ２２ｒ、２２ｇ、２２ｒに対して設けられており、モータ２４により回転される。
【００３３】
図１において、タイミング生成回路１６で、モータ駆動信号が生成される。このモータ駆動信号がモータ駆動回路２０に供給される。これにより、モータ２４が回転し、回転ロッド２３が回転される。
【００３４】
回転ロッド２３の回転は、回転検出センサ２５により検出される。この回転検出センサ２５からの回転検出信号は、タイミング生成回路１６に供給される。タイミング生成回路１６で、回転検出センサ２５からの回転検出信号と、入力画像信号の垂直同期信号とが比較され、この比較信号に基づいて、モータ駆動信号が生成される。これにより、入力画像信号の垂直同期信号に同期して、所望の回転数となるように、モータ２４の回転が制御される。
【００３５】
モータ２４が回転すると、回転ロッド２３の入射端２３ａが円周上に配置された複数のＬＥＤ２２ｒ、２２ｇ、２２ｂ上に沿って回転する。回転ロッド２３の回転により、複数のＬＥＤ２２ｒ、２２ｇ、２２ｂのうち、回転ロッド２３の入射端２３ａの位置と対応する位置にあるものの光が選択されて取り込まれ、その光が回転ロッド２３の出射端２３ｂから導出される。また、ＬＥＤ２２ｒ、２２ｇ、２２ｂの合成光の光量がフォトセンサ７１で検出され、この光量検出信号がタイミング生成回路１６に供給される。
【００３６】
回転ロッド２３からの光は、光束形状変換素子２７に入射される。光束形状変換素子２７の出射端から出射された光は、照明レンズ２８ａ、２８ｂ、ミラー２９、フィールドレンズ３０よる照明光学系を経て、ＤＭＤ素子１５の微小ミラーが形成された面に照射される。
【００３７】
ＤＭＤ素子１５の表面の微小ミラーの角度は、ＤＭＤ駆動信号により変えられ、光の進路が変えられる。このため、ＤＭＤ素子１５の反射光は、ＤＭＤ駆動制御回路１２からのＤＭＤ駆動信号により画素単位で変調される。このＤＭＤ駆動信号により変調を受けた光は、投射光として、投射レンズ３１を介して拡大され、投射面３２に投射される。これにより、投射面３２には、画像が映し出される。
【００３８】
上述のように、回転光学系２１では、ＲＧＢの複数のＬＥＤ２２ｒ、２２ｇ、２２ｂが円周上に配置され、この複数のＬＥＤ２２ｒ、２２ｇ、２２ｂに沿って回転する回転ロッド２３が設けられる。複数のＬＥＤ２２ｒ、２２ｇ、２２ｂが順次パルス駆動され、複数のＬＥＤ２２ｒ、２２ｇ、２２ｂが順次パルス点灯される。そして、ＬＥＤ２２ｒ、２２ｇ、２２ｂの点灯に合わせて回転ロッド２３が回転され、点灯中のＬＥＤ２２ｒ、２２ｇ、２２ｂの光が集められて、空間光変調素子に向けて照射される。
【００３９】
ＬＥＤを直流駆動した場合には流せる電流に限界があるが、回転光学系２１を用いた場合には、上述のように、ＬＥＤはパルス駆動となる。このため、ＬＥＤに大電流を流すことができ、強い発光が得られる。そして、このような回転光学系２１を用いると、回転ロッド２３により、点灯中のＬＥＤの光が集められるので、ＬＥＤを連続点灯させたのと等価になる。
【００４０】
２．回転光学系を用いたプロジェクタの電源制御回路の第１の例
本発明は、上述のような回転光学系２１を用いたプロジェクタにおいて、ＬＥＤ駆動回路１７の電源制御に用いられる。図３は、本発明が適用されたＬＥＤ駆動回路１７の電源制御回路の構成の一例を示すものである。
【００４１】
図３において、電源回路４０は、ＤＣ−ＤＣ制御回路４１からなる定電圧の電源回路である。入力端子４４に直流電源が供給され、この入力端子４４からの電源は、ＦＥＴ４２及びＦＥＴ４３のスイッチング動作により、所望の電圧となるようにスイッチング制御され、電源ライン５２に送られる。
【００４２】
なお、コンデンサ４５、４６、チョークコイル４７はリップル除去用である。電源回路４０の出力電圧は、抵抗４８とディジタルポテンショメータ４９との接続点から検出され、ＤＣ−ＤＣ制御回路４１のフィードバック端子ＦＢに供給される。ＤＣ−ＤＣ制御回路４１は、このフィードバック端子ＦＢに送られるフィードバック電圧に基づいて、ＦＥＴ４２及びＦＥＴ４３をスイッチングし、出力電圧が所望の電圧となるように制御する。電源回路４０の出力電圧は、ディジタルポテンショメータ４９の設定値により可変することができる。
【００４３】
また、ＤＣ−ＤＣ制御回路４１のイネーブル端子ＥＮには、タイミング生成回路１６からのイネーブル信号が供給される。このイネーブル信号がＬレベルになると、ＤＣ−ＤＣ制御回路４１が動作状態となる。
【００４４】
Ｒ色のＬＥＤ２２ｒ（２２ｒ−１、２２ｒ−２、２２ｒ−３、…）、Ｇ色のＬＥＤ２２ｇ（２２ｇ−１、２２ｇ−２、２２ｇ−３、…）、Ｂ色のＬＥＤ２２ｂ（２２ｂ−１、２２ｂ−２、２２ｂ−３、…）は、図２に示したように、円周上に配列されている。
【００４５】
ＬＥＤ２２ｒ（２２ｒ−１、２２ｒ−２、２２ｒ−３、…）、ＬＥＤ２２ｇ（２２ｇ−１、２２ｇ−２、２２ｇ−３、…）、ＬＥＤ２２ｂ（２２ｂ−１、２２ｂ−２、２２ｂ−３、…）に対して、各ＬＥＤをスイッチングするためのＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）が設けられる。
【００４６】
ＬＥＤ２２ｒ（２２ｒ−１、２２ｒ−２、２２ｒ−３、…）、ＬＥＤ２２ｇ（２２ｇ−１、２２ｇ−２、２２ｇ−３、…）、ＬＥＤ２２ｂ（２２ｂ−１、２２ｂ−２、２２ｂ−３、…）のアノードは、電源ライン５２に接続される。ＬＥＤ２２ｒ（２２ｒ−１、２２ｒ−２、２２ｒ−３、…）、ＬＥＤ２２ｇ（２２ｇ−１、２２ｇ−２、２２ｇ−３、…）、ＬＥＤ２２ｂ（２２ｂ−１、２２ｂ−２、２２ｂ−３、…）のカソードは、ＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）のドレインにそれぞれ接続される。
【００４７】
ＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）のゲートには、タイミング生成回路１６から、点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）がそれぞれ供給される。１つおきのＦＥＴ５１ｒ（５１ｒ−１、５１ｒ−３、…）、ＦＥＴ５１ｇ（５１ｇ−１、５１ｇ−３、…）、ＦＥＴ５１ｂ（５１ｂ−１、５１ｂ−３）のソースがライン５４に接続され、他の１つおきのＦＥＴ５１ｒ（５１ｒ−２、…）、ＦＥＴ５１ｇ（５１ｇ−２、…）、ＦＥＴ５１ｂ（５１ｂ−２、…）のソースがライン５５接続される。
【００４８】
ライン５４には、ＦＥＴ５６のドレインが接続される。ＦＥＴ５６のソースが演算増幅器５８の反転入力端子に接続されると共に、ＦＥＴ６０のソースと接地間に、抵抗６０が接続される。
【００４９】
ライン５５には、ＦＥＴ５７のドレインが接続される。ＦＥＴ５７のソースが演算増幅器５９の反転入力端子に接続されると共に、ＦＥＴ５７のソースと接地間に、抵抗６１が接続される。
【００５０】
ＰＬＬ回路６５には、回転検出センサ２５からの回転検出信号が供給される。ＰＬＬ回路６５により、回転検出センサ２５の回転検出信号から、基準クロックが形成される。この基準クロックがタイミング生成回路１６に供給される。タイミング生成回路１６で、この基準クロックを基に、点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）が生成される。
【００５１】
また、ＲＯＭ６６には、各ＬＥＤの電流値のデータが格納されている。各色のＬＥＤの発光タイミングに合わせて、ＲＯＭ６６から、電流設定データが出力される。この電流設定データは、Ｄ／Ａコンバータ６７に供給され、Ｄ／Ａコンバータ６７で、電流設定電圧に変換される。この電流設定電圧は、演算増幅器５８及び５９の非反転入力端子に供給される。
【００５２】
また、フォトセンサ７１により、ＬＥＤの光量がモニタされる。この光量検出信号が補正データ生成回路７２に供給される。補正データ生成回路７２で、補正データが形成され、この補正データがＲＯＭ６６に供給される。これにより、ＬＥＤの光量に応じて、設定データが補正される。
【００５３】
タイミング生成回路１６から、各色の発光期間において、順次Ｈレベルになる点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）が出力される。例えば、点灯パルスＰｒ−１がＨレベルになると、ＦＥＴ５１ｒ−１がオンする。これにより、ＬＥＤ２２ｒ−１に電流が流れ、ＬＥＤ２２ｒ−１が点灯する。
【００５４】
このとき、ＬＥＤ２２ｒ−１に流れる電流は、ＦＥＴ５６を流れる電流により決まる。演算増幅器５８の非反転入力端子には、ＲＯＭ６６から読み出された電流設定データに基づく設定電圧が供給される。演算増幅器５８の出力電圧はＦＥＴ５６のゲートに印加され、ＦＥＴ５６のソース電圧は、演算増幅器５８の反転入力端子にフィードバックされる。したがって、ＦＥＴ５６のゲートには、ＲＯＭ６６からの電流設定データに基づく電圧が印加され、ＦＥＴ５６には、所望の電流が流される。これにより、ＬＥＤ２２ｒ−１を所望の定電流で駆動することができる。
【００５５】
次に、点灯パルスＰｒ−２がＨレベルになると、ＦＥＴ５１ｒ−２がオンする。これにより、ＬＥＤ２２ｒ−２に電流が流れ、ＬＥＤ２２ｒ−２が点灯する。このとき、ＬＥＤ２２ｒ−２に流れる電流は、ＦＥＴ５７を流れる電流により決まる。演算増幅器５９の非反転入力端子には、ＲＯＭ６６から読み出された電流設定データに基づく設定電圧が供給される。演算増幅器５９の出力電圧はＦＥＴ５７のゲートに印加され、ＦＥＴ５７のソース電圧は、演算増幅器５９の反転入力端子にフィードバックされる。したがって、ＦＥＴ５７のゲートにはＲＯＭ６６からの電流設定データに基づく電圧が印加され、ＦＥＴ５７には、所望の電流が流される。これにより、ＬＥＤ２２ｒ−２を所望の定電流で駆動することができる。
【００５６】
ＦＥＴ５６及びＦＥＴ５７で設定される駆動電流は、抵抗６０及び抵抗６１の電圧により検出され、この検出値がＡ／Ｄコンバータ６８及びＡ／Ｄコンバータ６９でディジタル化され、タイミング生成回路１６に送られる。
【００５７】
以下、点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）が順次Ｈレベルになると、ＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）がそれぞれオンし、ＬＥＤ２２ｒ（２２ｒ−１、２２ｒ−２、２２ｒ−３、…）、ＬＥＤ２２ｇ（２２ｇ−１、２２ｇ−２、２２ｇ−３、…）、ＬＥＤ２２ｂ（２２ｂ−１、２２ｂ−２、２２ｂ−３、…）が点灯する。
【００５８】
なお、この例では、１つおきのＦＥＴ５１ｒ（５１ｒ−１、５１ｒ−３、…）、ＦＥＴ５１ｇ（５１ｇ−１、５１ｇ−３、…）、ＦＥＴ５１ｂ（５１ｂ−１、５１ｂ−３）のソースがライン５４に接続され、他の１つおきのＦＥＴ５１ｒ（５１ｒ−２、…）、ＦＥＴ５１ｇ（５１ｇ−２、…）、ＦＥＴ５１ｂ（５１ｂ−２、…）のソースがライン５５に接続されているので、隣り合うＬＥＤを同時に点灯する期間を設けることができる。
【００５９】
３．電源電圧の制御の第１の例
上述のように、図３に示したようなＬＥＤ駆動回路１７では、ＲＯＭ６６からの電流設定データに基づいて、各ＬＥＤ２２ｒ（２２ｒ−１、２２ｒ−２、２２ｒ−３、…）、２２ｇ（２２ｇ−１、２２ｇ−２、２２ｇ−３、…）、２２ｂ（２２ｂ−１、２２ｂ−２、２２ｂ−３、…）に定電流が流され、各ＬＥＤが駆動される。このとき、電源回路４０の出力電圧が各ＬＥＤの順方向電圧Ｖｆより低いと、各ＬＥＤに所望の定電流を流すことができない。また、電源回路４０からの電源の電圧が高すぎると、消費電力が無駄になる。電源回路４０の出力電圧としては、ＬＥＤの順方向電圧Ｖｆより僅かに高い電圧とすることが望ましい。
【００６０】
しかしながら、ＬＥＤの順方向電圧Ｖｆには、発光色や個体によってばらつきがある。すなわち、図４は、各色毎のＬＥＤの特性のばらつきを示すものである、図４に示すように、Ｒ色のＬＥＤ（ＬＥＤ−Ｒ）の特性と、Ｇ色のＬＥＤ（ＬＥＤ−Ｇ）の特性と、Ｂ色のＬＥＤ（ＬＥＤ−Ｂ）の特性にはばらつきがあり、順方向電圧Ｖｆは、各色毎に、異なっている。また、図５は、同一色内でのＬＥＤ特性のばらつきを示すものである。図５に示すように、同一色内のＬＥＤでも、各個体（ＬＥＤ−ａ、ＬＥＤ−ｂ、ＬＥＤ−ｃ）毎に、ＬＥＤの特性にばらつきがあり、順方向電圧Ｖｆは異なっている。また、図６は、同一色内での光量特性のばらつきを示すものである。図６に示すように、同一色内のＬＥＤでも、各個体（ＬＥＤ−ａ、ＬＥＤ−ｂ、ＬＥＤ−ｃ）毎に、順方向電流に対する相対光量には、ばらつきがある。
【００６１】
図７は、本発明が適用されたプロジェクタにおける電源電圧の設定の第１の例を示すフローチャートである。この例では、事前に光量変動をフォトセンサ７１でモニタリングし、その逆特性から、所望の照明光量となるときの定電流値を求めている。そして、電源回路４０からの電圧値を低電圧値から徐々に増加させながら、ＬＥＤの電流値を観察し、フォトセンサ７１からの逆特性により求められた所望の照明光量となるときの定電流値に達したことにより、所定照明光量を出射し始めたことを検知している。そして、所定照明光量を出射し始めたと検知したときの電圧値を求めて設定電圧値とし、この設定電圧値の電圧を電源回路４０の出力電圧に設定して、ＬＥＤ駆動回路に供給するようにしている。
【００６２】
また、この例では、順方向電圧特性が略等しいＬＥＤをグループとして、電源回路の出力電圧を設定している。すなわち、同色のＬＥＤの順方向電圧Ｖｆは略等しいことから、同色のＬＥＤをグループとし、各色のＬＥＤ毎に、電源回路４０の出力電圧を設定するようにしている。
【００６３】
なお、図４に示したように、Ｇ色のＬＥＤの特性とＢ色のＬＥＤの特性は類似しているので、Ｇ色のＬＥＤとＢ色のＬＥＤとを１つのグループとし、Ｒ色のＬＥＤを１つのグループとし、２グループで出力電圧を設定するようにしても良い。
【００６４】
図７において、ステップＳ１で、電源回路４０におけるＧ色のＬＥＤの出力電圧を最大値に設定する。すなわち、電源回路４０の出力電圧は、ディジタルポテンショメータ４９により可変できる。このディジタルポテンショメータ４９を操作して、Ｇ色の発光タイミングでの電源回路４０の出力電圧を最大値に設定する。
【００６５】
ステップＳ２で、Ｇ色の電流値を一定値に設定する（ステップＳ２）。そして、ステップＳ３で、ステップＳ２で設定された電流値による定電流でＧ色のＬＥＤを駆動して点灯させる。ステップＳ４で、Ｇ色のＬＥＤの発光量をフォトセンサ７１でモニタする。ステップＳ５で、モニタリングした結果の逆特性から、所望の光量特性値となるときの電流値を求める。
【００６６】
つまり、ステップＳ１で、電源回路４０の出力電圧はＧ色のＬＥＤの最大値に設定されているので、電源回路４０の出力電圧は十分に確保される（Ｇ色のＬＥＤのＶｆより十分に高い）ことになる。そして、ステップＳ２で、Ｇ色のＬＥＤの電流値を一定値にし、ステップＳ３で、Ｇ色のＬＥＤを点灯させている。このときのＧ色のＬＥＤの発光量をフォトセンサ７１で検出し、検出された光量の逆特性から、所望の光量特性値となるときの電流を求め、この電流値を設定電流値として用いる。ＬＥＤに流れる電流とＬＥＤの光量との関係はＲＯＭ６６に記憶される。
【００６７】
以下のステップでは、ＬＥＤの電流を観察しながら、電源回路４０の出力電圧を下限値から徐々に上昇させていき、ＬＥＤの電流が設定電流値を超えたことを検出して、電源回路４０の出力電圧を設定している。
【００６８】
つまり、ステップＳ６で、電源回路４０において、Ｇ色のＬＥＤの出力電圧を下限値に設定する。ステップＳ７で、定電流回路におけるＧ色のＬＥＤの電流値をＲＯＭ６６から読み出し設定電流値とする。ステップＳ８で、Ｇ色のＬＥＤの点灯を開始させ、ステップＳ９で、Ｇ色の発光期間において、全てのＧ色のＬＥＤに流れる電流の電流値が全て設定電流値以下かどうかを判断する。
【００６９】
このとき、ステップＳ７で定電流回路におけるＧ色の電流値を設定電流値にしているが、ステップＳ６で、電源回路４０において、Ｇ色のＬＥＤの出力電圧を下限値に設定しているため、電源回路４０の出力電圧は順方向電圧Ｖｆ以下になり、Ｇ色のＬＥＤに流れる電流の電流値は、設定電流値以下になる。よって、ステップＳ９では、ＬＥＤの電流値が設定値以下であると判断されることになる。
【００７０】
ステップＳ９で、ＬＥＤの電流値が設定電流値以下なら、ステップＳ１０で、出力電圧が上限値以下かどうかを判断する。そして、出力電圧が上限値以下なら、ステップＳ１１で、電源回路４０のＧ色のＬＥＤの出力電圧を１ステップ上昇させる。そして、ステップＳ９にリターンし、Ｇ色のＬＥＤの電流値が設定値以下かどうかを判断する。なお、ステップＳ１０で出力電圧が上限値以下でなければ、ステップＳ１２で設定エラーとする。
【００７１】
ステップＳ９〜Ｓ１１のループを繰り返していくと、やがて、電源回路４０の電源電圧はＧ色のＬＥＤの順方向電圧Ｖｆ以上まで上昇し、Ｇ色のＬＥＤに流れる電流の電流値は設定電流値以上になる。
【００７２】
ステップＳ９で、Ｇ色のＬＥＤに流れる電流の電流値が設定電流を越えたら、ステップＳ１３で、熱平衡を加味して電源回路４０の出力電圧を数ステップ増減し、ステップＳ１４で、このときの電源回路４０の出力電圧を、Ｇ色のＬＥＤの出力電圧の設定値として、メモリ２に格納する。
【００７３】
Ｇ色の設定電圧が求まったら、ステップＳ１５で、Ｒ色、Ｂ色について、同様にして、出力電圧値が設定される。
【００７４】
以上のように、この実施形態では、電源回路４０の出力電圧を徐々に変化させながら、ＬＥＤの駆動電流を観察して、電源回路４０の出力電圧を設定するようにしている。Ｇ色のＬＥＤを点灯させるときの電源回路４０の出力電圧は、このようにして求められた設定電圧に応じて設定される。
【００７５】
４．電源電圧の制御の第２の例
図８は、電源電圧の制御の第２の例を示している。前述の第１の例では、同色のＬＥＤをグループとし、各色のＬＥＤ毎に、ＬＥＤの出力電圧値の設定を行っているのに対して、この実施形態では、全てのＬＥＤの出力電圧値についてリアルタイムに設定を行い、ＬＥＤ毎に、電源回路の出力電圧を設定するようにしている。
【００７６】
図８において、ステップＳ１０１で、電源回路４０において、各ＬＥＤの出力電圧を最大値に設定する。ステップＳ１０２で、各ＬＥＤの電流値を一定値に設定する。そして、ステップＳ１０３で、各ＬＥＤを点灯を開始させる。
【００７７】
ステップＳ１０４で、各ＬＥＤの発光量を、各ＬＥＤ毎に、Ｎポイントでモニタする。ステップＳ１０５で、フォトセンサ７１からのモニタリングした結果の逆特性から、設定光量値となるときの電流値が求められ、これが設定電流値とされる。
【００７８】
以下のステップでは、各ポイントで、各ＬＥＤの電流値を観察しながら、電源回路４０の出力電圧を下限値から徐々に上昇させていき、各ＬＥＤの電流が設定電流値を超えたことを検出して、電源回路４０の出力電圧を設定している。
【００７９】
ステップＳ１０６で、電源回路４０において、各ＬＥＤの出力電圧を下限値に設定する。ステップＳ１０７で、定電流回路において、各ＬＥＤの電流値を設定電流値とする。ステップＳ１０８で、各ＬＥＤの点灯を開始させる。
【００８０】
ステップＳ１０９でＮを「０」に初期化し、ステップＳ１１０でＮを１ずつインクリメントし、ステップＳ１１１で、各色の発光期間のＮ個の設定ポイントにおいて、各ＬＥＤに流れる電流の電流値が設定電流値以下かどうかを判断する。
【００８１】
ステップＳ１１１で、各ＬＥＤに流れる電流の電流値が設定電流値以下なら、ステップＳ１１２で、出力電圧が上限値以下かどうかを判断する。そして、出力電圧が上限値以下なら、ステップＳ１１３で、Ｎ個の設定ポイントでの電源回路４０の可変電源の各ＬＥＤの出力電圧を１ステップ上昇させる。そして、ステップＳ１１１にリターンし、各ＬＥＤに流れる電流の電流値が設定電流値以下かどうかを判断する。なお、ステップＳ１１２で出力電圧が上限位置以下でなければ、ステップＳ１１４で設定エラーとする。
【００８２】
ステップＳ１１１〜Ｓ１１３のループを繰り返していくと、やがて、電源回路４０の電源電圧は各ＬＥＤの順方向電圧Ｖｆ以上まで上昇し、各ＬＥＤを流れる電流の電流値は、設定電流値以上になる。
【００８３】
ステップＳ１１１で、各ＬＥＤを流れる電流の電流値が設定電流値を越えたら、ステップＳ１１５で、熱平衡を加味して電源回路４０の出力電圧を数ステップ増減し、ステップＳ１１６で、このときの電源回路４０の出力電圧を、各色のＬＥＤの出力電圧の設定値として、メモリ２に格納する。
【００８４】
そして、ステップＳ１１７で、設定ポイントは全て調整されたかどうかを判断し、設定ポイントが残っていれば、ステップＳ１１０にリターンし、設定ポイントが残っていなければ、ステップＳ１１７で、設定を終了する。
【００８５】
このように、図７で示した例では、同色のＬＥＤをグループとし、各色のＬＥＤ毎に、ＬＥＤの出力電圧値の設定を行っているのに対して、図８に示した例では、全てのＬＥＤの出力電圧値についてリアルタイムに設定を行い、ＬＥＤ毎に、電源回路の出力電圧を設定するようにしている。
【００８６】
図９は、このような電源電圧制御を行った場合のタイミング図を示すものである。図９（Ａ）に示すように、ＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）に点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）を与えると、点灯パルスＰｒ（Ｐｒ−１、Ｐｒ−２、Ｐｒ−３、…）、Ｐｇ（Ｐｇ−１、Ｐｇ−２、Ｐｇ−３、…）、Ｐｂ（Ｐｂ−１、Ｐｂ−２、Ｐｂ−３、…）がＨレベルとなときに、ＦＥＴ５１ｒ（５１ｒ−１、５１ｒ−２、５１ｒ−３、…）、ＦＥＴ５１ｇ（５１ｇ−１、５１ｇ−２、５１ｇ−３、…）、ＦＥＴ５１ｂ（５１ｂ−１、５１ｂ−２、５１ｂ−３、…）がそれぞれオンし、ＬＥＤ２２ｒ（２２ｒ−１、２２ｒ−２、２２ｒ−３、…）、ＬＥＤ２２ｇ（２２ｇ−１、２２ｇ−２、２２ｇ−３、…）、ＬＥＤ２２ｂ（２２ｂ−１、２２ｂ−２、２２ｂ−３、…）が点灯する。これにより、図９（Ｂ）に示すように、フォトセンサ７１の検出出力が得られる。ここで、同一色のＬＥＤの発光期間で光量の変動が起こるのは、円周上に配置されたＬＥＤ上で回転ロッド２３を回転させ、ＬＥＤを切り替えているためである。
【００８７】
このような光量値の逆特性から、図９（Ｄ）に示すように、所望の定光量となるための設定電流が得られる。そして、図９（Ｅ）に示すように、所望の設定電流を流すのに必要な順方向電圧Ｖｆが得られる。
【００８８】
電源回路４０の出力電圧は、上述したように、出力電圧の下限値から徐々に電圧を上昇し、図９（Ｄ）に示した設定電流が得られるようになったときの出力電圧に設定される。この設定電圧は、図７で示したように、各色のＬＥＤ毎にＬＥＤの出力電圧値の設定すると、図９（Ｇ）に示すような電圧となり、図８に示したように、全てのＬＥＤの出力電圧値についてリアルタイムに設定した場合、図９（Ｆ）に示すような電圧となる。
【００８９】
５．回転光学系を用いたプロジェクタの電源制御回路の第２の例
図１０は、上述の回転光学系を用いたプロジェクタにおけるＬＥＤ駆動回路１７の電源制御回路の第２の例を示すものである。この例では、ＬＥＤからの光量を検出し、これに応じて、ＬＥＤの発光量を制御するフィードバックループが設けられている。
【００９０】
つまり、図１０に示すように、フォトセンサ７１により、ＬＥＤの光量が検出される。このフォトセンサ７１の検出出力は、ＩＶ（電流−電圧）変換回路８０に供給される。ＩＶ変換回路８０は、フォトセンサ７１の検出電流を電圧値に変換するものである。つまり、ＩＶ変換回路８０の抵抗８２で電流値が電圧値として取り出される。この抵抗８２の電圧値がバッファアンプ８３を介して出力される。ＩＶ変換回路８０のゲインは、バッファアンプ８３のゲインをディジタルポテンショメータ８１により制御することで設定することができる。ＩＶ変換回路８０の出力は、演算増幅回路５８及び５９の非反転入力端子に供給されると共に、Ａ／Ｄコンバータ８８によりディジタルデータに変換され、タイミング生成回路１６に供給される。
【００９１】
このような構成では、ＬＥＤの光量が低下すると、フォトセンサ７１の検出出力が下がり、ＩＶ変換回路８０の出力が下がる。ＩＶ変換回路８０の出力が低下すると、演算増幅器５８及び演算増幅器５９の反転入力端子への入力が下がり、ＬＥＤの駆動電流が大きくなる。これにより、ＬＥＤの光量が増加する。このように、ＬＥＤの光量に対して、フィードバック制御が行われる。ＬＥＤの駆動電流は、抵抗６０及び６１で検出され、ダイオード８５及び８６、Ａ／Ｄコンバータ６８を介して、タイミング生成回路１６に送られる。
【００９２】
ＩＶ変換回路８０のゲインは、発光色毎に制御される。すなわち、タイミング生成回路１６からＩＶ変換回路８０のディジタルポテンショメータ８１に、ＬＥＤの発光期間毎に、ゲイン設定信号が供給される。このゲイン設定信号により、ＩＶ変換回路８０のゲインは、発光色毎に制御される。
【００９３】
これは、図１１に示すように、フォトセンサ７１が単一の被視感度特性であり、各色のＬＥＤの波長特性や所望のホワイトバランスにより、各色ＬＥＤの電流の平均値を大きく変化させる必要があるからである。例えば、ＩＶ変換回路８０のゲインは、Ｒ色発光期間では３倍、Ｇ色発光期間では１倍、Ｂ色発光期間では、５倍に設定される（図９（Ｃ）参照）。
【００９４】
６．電源電圧の制御の第３の例
図１２は、本発明が適用されたプロジェクタにおける電源電圧の設定の第３の例を示すフローチャートである。この例では、図１０に示したフィードバック制御のＬＥＤ駆動回路が用いられる。
【００９５】
前述の第１及び第２の例では、事前に光量変動をフォトセンサ７１でモニタリングし、その逆特性をＬＥＤの駆動電流値とし、電源回路４０の出力電圧を最小値から徐々に上昇させながら、ＬＥＤの駆動電流を観察して、電源回路４０の電圧を設定するようにしている。これに対して、この例では、フォトセンサ７１でＬＥＤの発光量を検出し、電源回路４０の出力電圧を徐々に変化させながら、ＬＥＤの光量を観察して、電源回路４０の電圧を設定するようにしている。また、この例では、各色のＬＥＤをグループとし、各色のＬＥＤ毎に、最適な電源回路４０の出力電圧を設定するようにしている。
【００９６】
図１２において、ステップＳ２０１で、ＩＶ変換回路８０の各色受光期間の最大ゲイン、最小ゲインを設定して、フォトセンサ７１を校正する。ステップＳ２０２で、電源回路４０において、Ｇ色のＬＥＤのときの出力電圧の下限値に設定する。ステップＳ２０３で、ＩＶ変換回路８０のゲインを、Ｇ色のＬＥＤの受光期間での最小値に設定する。そして、ステップＳ２０４で、Ｇ色のＬＥＤのみを点灯させる。
【００９７】
以下のステップでは、ＬＥＤの光量を観察しながら、電源回路４０の出力電圧を下限値から徐々に上昇させていき、ＬＥＤの光量が設定光量を超えたことを検出して、電源回路４０の出力電圧を設定している。
【００９８】
つまり、ステップＳ２０５で、Ａ／Ｄコンバータ６８の検出値から、ＬＥＤを流れる電流の電流値が上限値以下かどうかを判断する。電源回路４０のＧ色のＬＥＤのときの出力電圧は、ステップＳ２０２で下限値に設定したので、Ｇ色のＬＥＤを流れる電流の電流値は上限値を越えていないことになる。ここで、Ｇ色のＬＥＤを流れる電流の電流値が上限値を越えていれば、ステップＳ２０９で、設定エラーとして処理される。
【００９９】
ステップＳ２０５で、駆動電流が上限値を越えていなければ、ステップＳ２０６で、Ｇ色発光期間において、ＩＶ変換回路８０からのＬＥＤの光量の検出値が設定光量値以下かどうかを判断する。
【０１００】
ステップＳ２０６で、ＬＥＤの光量が設定光量値以下なら、ステップＳ２０７で、電源回路４０の出力電圧が上限値以下かどうかを判断し、電源回路４０の出力電圧が上限値以下なら、ステップＳ２０８で、電源回路４０のＧ色のＬＥＤのときの出力電圧を１ステップ増加して、ステップＳ２０５にリターンする。
【０１０１】
電源回路４０の出力電圧は、ステップＳ２０２で下限値に設定したので、ステップＳ２０６で、ＬＥＤの光量の検出値は光量設定値以下になることになる。この場合には、ステップＳ２０７で、電源回路４０のＧ色のＬＥＤのときの出力電圧が上限値に達していなかどうかを判断し、上限値に達していなければ、ステップＳ２０８で、電源回路４０の出力電圧を１ステップずつ増加していく。
【０１０２】
ステップＳ２０５〜Ｓ２０８のループを繰り返していくと、やがて、電源回路４０の電源電圧はＧ色のＬＥＤの順方向電圧Ｖｆ以上まで上昇し、ＬＥＤの発光量は、光量設定値以上になる。なお、ＬＥＤの発光量が光量設定値に達する前に、ステップＳ２０７で、電源回路４０のＧ色のＬＥＤのときの出力電圧が上限値に達したときには、ステップＳ２０９で、エラーとして処理する。
【０１０３】
ステップＳ２０６で、Ｇ色発光期間において、ＩＶ変換回路８０からのＬＥＤの光量の検出値が光量設定値を越えたら、ステップＳ２１０で熱平衡を加味して電源回路４０の出力電圧を数ステップ増減し、ステップＳ２１１で、このときの電源回路４０の出力電圧を、Ｇ色のＬＥＤの出力電圧の設定値として、メモリ２に格納する。
【０１０４】
Ｇ色の設定電圧が求まったら、ステップＳ２１２で、Ｒ色、Ｂ色について、同様にして、出力電圧値が設定される。
【０１０５】
以上のように、この例では、電源回路４０の出力電圧を最小値から徐々に上昇させながら、ＬＥＤの光量を観察して、電源回路４０の出力電圧を設定するようにしている。各色のＬＥＤを点灯させるときの電源回路４０の出力電圧は、このようにして求められた設定電圧に応じて設定される。
【０１０６】
７．電源電圧の制御の第４の例
図１３は、本発明が適用されたプロジェクタにおける電源電圧の設定の第４の例を示すフローチャートである。この例では、全ての各ＬＥＤの出力電圧値についてリアルタイムに設定を行い、各ＬＥＤ毎に、電源回路の出力電圧を設定するようにしている。この例では、図１０に示したフィードバック制御のＬＥＤ駆動回路が用いられる。
【０１０７】
図１３において、ステップＳ３０１で、フォトセンサ７１を校正する。ステップＳ３０２で、電源回路４０において、各ＬＥＤの出力電圧を下限値に設定する。ステップＳ３０３で、ＩＶ変換回路８０のゲインを各ＬＥＤの受光期間での最小値に設定する。そして、ステップＳ３０４で、各ＬＥＤの点灯を開始させる、
【０１０８】
ステップＳ３０５でＮを「０」に初期化し、ステップＳ３０６でＮを１ずつインクリメントし、ステップＳ３０７で、各色の発光期間のＮ個の設定ポイントにおいて、ＬＥＤの電流値が上限値以下かどうかを判断する。
【０１０９】
以下のステップでは、Ｎポイントの各ポイントで、ＬＥＤの光量を観察しながら、電源回路４０の出力電圧を下限値から徐々に上昇させていき、ＬＥＤの電流が設定電流値を超えたことを検出して、電源回路４０の出力電圧を設定している。
【０１１０】
つまり、ステップＳ３０７で、駆動電流が上限値以下なら、ステップＳ３０８で、設定ポイントにおいて、ＩＶ変換回路８０からのＬＥＤの光量の検出値が設定値以下かどうかを判断する。
【０１１１】
ステップＳ３０８で、ＬＥＤの光量の検出値が設定光量値以下なら、ステップＳ３０９で、電源回路４０の出力電圧が上限値以下かどうかを判断し、電源回路４０の出力電圧が上限値以下なら、ステップＳ３１０で、電源回路４０の各色のＬＥＤのときの出力電圧を１ステップ増加して、ステップＳ３０７にリターンする。
【０１１２】
電源回路４０の出力電圧は、ステップＳ３０２で下限値に設定したので、ステップＳ３０８で、ＬＥＤの光量の検出値は設定光量値以下になることになる。この場合には、ステップＳ３０９で、電源回路４０の各色のＬＥＤのときの出力電圧が上限値に達していなかどうかを判断し、上限値に達していなければ、ステップＳ３１０で、電源回路４０の出力電圧を１ステップずつ増加していく。
【０１１３】
ステップＳ３０７〜Ｓ３１０のループを繰り返していくと、やがて、電源回路４０の電源電圧はＬＥＤの順方向電圧Ｖｆ以上まで上昇し、ＬＥＤの発光量は、設定値以上になる。なお、ＬＥＤの発光量が設定値に達する前に、ステップＳ３０９で、電源回路４０の設定ポイントのときの出力電圧が上限値に達したときには、ステップＳ３１１で、エラーとして処理する。
【０１１４】
ステップＳ３０８で、設定ポイントにおいて、ＩＶ変換回路８０からのＬＥＤの光量の検出値が設定値を越えたら、ステップＳ３１２で熱平衡を加味して電源回路４０の出力電圧を数ステップ増減し、ステップＳ３１３で、設定ポイントでの電源回路４０の出力電圧を、その設定ポイントでのＬＥＤの出力電圧の設定光量値として、メモリ２に格納する。
【０１１５】
そして、ステップＳ３１４で、設定ポイントは全て調整されたかどうかを判断し、設定ポイントが残っていれば、ステップＳ３０６にリターンし、設定ポイントが残っていなければ、ステップＳ３１５で、設定を終了する。
【０１１６】
８．データによる抵抗値の設定
上述のように、本発明が適用された回転光学系を用いたプロジェクタのＬＥＤ駆動回路では、出力電圧が可変の電源回路４０が用いられている。図３及び図１０の例では、ディジタルポテンショメータ４９を用いて、電源回路４０の出力電圧を可変としているが、図１４に示すように、制御回路からデータとして入力されセレクト信号をデコードして、ラダー抵抗の抵抗値を変えて、出力電圧を可変するようにしても良い。
【０１１７】
図１４において、入力端子９１及び９２に、２ビットのセレクト信号ＳＥＬ１及びＳＥＬ２が供給される。このセレクト信号ＳＥＬ１及びＳＥＬ２は、ＮＯＲゲート９３に供給されると共に、デコーダ９４に供給される。なお、抵抗１１０及び抵抗１１１は、プルダウン抵抗である。
【０１１８】
ＮＯＲゲート９３は、セレクト信号ＳＥＬ１及びＳＥＬ２に基づいて、ＤＣ−ＤＣ制御回路４１に対するイネーブル信号を発生する。
【０１１９】
図１５に示すように、セレクト信号ＳＥＬ１がＨレベルのときには、セレクト信号ＳＥＬ２には無関係に、イネーブル信号がＬレベルとなり、ＤＣ−ＤＣ制御回路４１がイネーブル状態となる。また、セレクト信号ＳＥＬ２がＨレベルのときには、セレクト信号ＳＥＬ１には無関係に、イネーブル信号がＬレベルとなり、ＤＣ−ＤＣ制御回路４１がイネーブル状態となる。セレクト信号ＳＥＬ１及びＳＥＬ２が共にＬレベルになると、イネーブル信号がＨレベルとなり、ＤＣ−ＤＣ制御回路４１がディスイネーブル状態となる。
【０１２０】
電源回路４０の出力には、抵抗９５〜抵抗９９からなるラダー抵抗が接続される。抵抗９５と抵抗９６との接続点の出力がＤＣ−ＤＣ制御回路４１のフィードバック端子ＦＢに送られる。
【０１２１】
抵抗９６〜抵抗９９と並列に、ＦＥＴ１０６〜ＦＥＴ１０９がそれぞれ接続される。デコーダ９４の各出力は、ＦＥＴ１０６、ＦＥＴ１０７、ＦＥＴ１０８、ＦＥＴ１０９のゲートにそれぞれ供給される。デコーダ９４は、図１６に示すように、セレクト信号ＳＥＬ１及びＳＥＬ２の状態に応じて、出力が設定される。このデコーダ８４の出力に応じて、図１６に示すように、ＦＥＴ１０６〜ＦＥＴ１０９がオン／オフされる。
【０１２２】
ＦＥＴ１０６〜ＦＥＴ１０９がオン／オフされることにより、抵抗９６〜抵抗９９からなる抵抗値が変化する。これにより、図４及び図１０でのディジタルポテンショメータ４９を動かしたのと等価になる。
【０１２３】
また、図１０におけるＩＶ変換回路８０のディジタルポテンショメータ８１についても、図１７に示すように、入力データが供給されるデコーダ１２１と、直列接続された抵抗１３１〜抵抗１３４と、抵抗１３１〜抵抗１３４に並列に接続されたＦＥＴ１４１〜ＦＥＴ１４４とを有し、入力端子１５１及び１５２に２ビットのセレクト信号を供給し、デコーダ１２１でこのセレクト信号をデコードし、デコーダ１２１の出力をＦＥＴ１４１〜ＦＥＴ１４４のゲートに供給し、デコーダ１２１の出力により、ＦＥＴ１４１〜ＦＥＴ１４４をオン／オフして、抵抗値を可変する構成としても良い。なお、抵抗１５３及び抵抗１５４はプルダウン抵抗である。
【０１２４】
９．回転光学系を用いたプロジェクタの電源制御回路の第３の例
図１８は、ＬＥＤ駆動回路１７の電源制御回路の第３の例を示すものである。この例では、フォトセンサ７１からの検出出力で、電源回路４０の出力電圧を直接制御して、ＬＥＤの光量が一定となるように制御している。
【０１２５】
つまり、図１８に示すように、フォトセンサ７１からの検出電流は、ＩＶ変換回路８０の抵抗８２で電圧値として取り出され、バッファアンプ８３ａ及び８３ｂを介して、電圧値として出力される。バッファアンプ８３ａ及び８３ｂのゲインは、ディジタルポテンショメータ８１ａ及び８１ｂにより設定される。
【０１２６】
バッファアンプ８３ａの出力電圧は、抵抗４８ａ及び抵抗４９ａからなるブリーダ抵抗の接続点から取り出され、ＤＣ−ＤＣ制御回路４１ａのフィードバック端子ＦＢに供給される。バッファアンプ８３ｂの出力電圧は、抵抗４８ｂ及び抵抗４９ｂからなるブリーダ抵抗の接続点から取り出され、ＤＣ−ＤＣ制御回路４１ｂのフィードバック端子ＦＢに供給される。
【０１２７】
ＤＣ−ＤＣ制御回路４１ａにより設定された電圧により、１つおきのＬＥＤ２２ｒ（２２ｒ−１、２２ｒ−３、…）、ＬＥＤ２２ｇ（２２ｇ−１、２２ｇ−３、…）、ＬＥＤ２２ｂ（２２ｂ−１、２２ｂ−３）に駆動電流が流され、ＤＣ−ＤＣ制御回路４１ｂにより設定された電圧により、他の１つおきの１つおきのＬＥＤ２２ｒ（２２ｒ−２、…）、ＬＥＤ２２ｇ（２２ｇ−２、…）、ＬＥＤ２２ｂ（２２ｂ−２、…）に駆動電流が流される。これにより、フォトセンサ７１の検出出力に応じて、電源回路４０の出力電圧が制御されて、所定の光量で各ＬＥＤが点灯される。
【０１２８】
１０．固定光学系を用いたプロジェクタの構成
上述までの説明では、回転光学系を用いたプロジェクタでの適用例であるが、本発明は、これに限らず、固定の光学系を用いた場合にも適用できる。
【０１２９】
図１９は、固定の光学系を用いたプロジェクタの全体構成を示すものである。図１９において、制御回路２０１はＣＰＵ(Central Processing Unit)等からなり、プロジェクタの全体の動作を制御している。制御回路２０１に対して、メモリ２０２、入力部２０３、表示部２０４が設けられる。
【０１３０】
入力部２０３は、オペレータ操作情報等、外部からの入力情報を制御回路２０１に通知するもので、入力部２０３としては、各種設定を行うための操作パネルやリモコン等が含まれる。表示部２０４は、制御回路２０１の指示により装置内回路の状態をＬＥＤインジケータなどを使用して、外部に通知するものである。
【０１３１】
入力端子２１１に、画像信号が供給される。入力端子２１１からの画像信号は、ＤＭＤ駆動制御回路２１２に送られる。ＤＭＤ駆動制御回路２１２は、種々の入力画像信号に対して、その入力画像信号の形態に応じて、同期分離、ＹＣ分離、ＩＰ変換、解像度変換、色変換、台形補正等の映像信号処理を行う。ここで、ＹＣ分離は、輝度信号とクロマ信号とを分離する処理である。ＩＰ変換は、インターレース走査からプログレシブ走査への変換である。そして、ＤＭＤ駆動制御回路２１２は、色ずれ防止のために入力画像信号のフィールド周波数の変換処理を行い、更に、入力画像信号に基づくＲＧＢの面順次の画像信号を形成する。この面順次の画像信号は、ＤＭＤ駆動信号として、ＤＭＤ素子２１５に供給される。
【０１３２】
ＤＭＤ素子２１５は、その表面に多数の微小なミラーを配置し、その角度を画素毎に変えられる空間光変調素子である。ＤＭＤ駆動制御回路２１２からのＤＭＤ駆動信号がＤＭＤ素子２１５に与えられると、ＤＭＤ素子２１５の表面の微小なミラーの角度が変えられ、これにより光の進路が変えられ、画素単位で光のオン／オフが行われる。
【０１３３】
また、ＤＭＤ駆動制御回路２１２で分離された垂直同期信号ＶＳｙｎｃは、タイミング生成回路２１６に供給される。タイミング生成回路２１６で、入力画像信号の垂直同期信号に基づいて、ＬＥＤの駆動パルスが生成される。このＬＥＤの駆動パルスがＬＥＤ駆動回路２１７に供給される。ＬＥＤ駆動回路２１７により、ＬＥＤ２２２ｒ、２２２ｇ、２２２ｂに順次駆動電流が流される。これにより、各色の発光期間に基づいて、ＬＥＤ２２２ｒ、２２２ｇ、２２２ｂが順次点灯される。
【０１３４】
ＬＥＤ２２２ｒ、２２２ｇ、２２２ｂからの光は、ダイクロイックプリズム２２３を介され、集光レンズ２２６で集光され、ロッドインテグレータ２２７、照明レンズ２２８ａ、２２８ｂ、ミラー２２９、フィールドレンズ２３０よる照明光学系を経て、ＤＭＤ素子２１５の微小ミラーが形成された面に照射される。
【０１３５】
ＤＭＤ素子２１５の表面の微小ミラーの角度は、ＤＭＤ駆動信号により変えられ、光の進路が変えられる。このため、ＤＭＤ素子２１５の反射光は、ＤＭＤ駆動制御回路２１２からのＤＭＤ駆動信号により画素単位で変調される。このＤＭＤ駆動信号により変調を受けた光は、投射光として、投射レンズ２３１を介して拡大され、投射面２３２に投射される。これにより、投射面２３２には、画像が映し出される。
【０１３６】
１１．固定照明方式のプロジェクタの電源制御回路の第１の例
図２０は、このような固定照明方式を用いたプロジェクタにおけるＬＥＤ駆動回路２１７の電源制御回路の第１の例を示すものである。
【０１３７】
図２０において、電源回路２４０は、ＤＣ−ＤＣ制御回路２４１からなる定電圧の電源回路である。入力端子２４４に直流電源が供給され、この入力端子２４４からの電源は、ＦＥＴ２４２及びＦＥＴ２４３のスイッチング動作により、所望の電圧となるように制御され、電源ライン２５２に送られる。
【０１３８】
なお、コンデンサ２４５、２４６、チョークコイル２４７はリップル除去用である。電源回路２４０の出力電圧は、抵抗２４８とディジタルポテンショメータ２４９との接続点から検出され、ＤＣ−ＤＣ制御回路２４１のフィードバック端子ＦＢに供給される。ＤＣ−ＤＣ制御回路２４１は、このフィードバック端子ＦＢに送られるフィードバック電圧に基づいて、ＦＥＴ２４２及びＦＥＴ２４３をスイッチングし、出力電圧が所望の電圧となるように制御する。
【０１３９】
また、ＤＣ−ＤＣ制御回路２４１のイネーブル端子ＥＮには、タイミング生成回路２１６からのイネーブル信号が供給される。このイネーブル信号がＬレベルになると、ＤＣ−ＤＣ制御回路２４１が動作状態となる。
【０１４０】
ＬＥＤ２２２ｒ、ＬＥＤ２２２ｇ、ＬＥＤ２２２ｂに対して、各ＬＥＤをスイッチングするためのＦＥＴ２５１ｒ、ＦＥＴ２５１ｇ、ＦＥＴ２５１ｂが設けられる。ＬＥＤ２２２ｒ、ＬＥＤ２２２ｇ、ＬＥＤ２２２ｂのアノードは、電源ライン２５２に接続される。ＬＥＤ２２２ｒ、ＬＥＤ２２２ｇ、ＬＥＤ２２２ｂのカソードは、ＦＥＴ２５１ｒ、ＦＥＴ２５１ｇ、ＦＥＴ２５１ｂのドレインにそれぞれ接続される。
【０１４１】
ＦＥＴ２５１ｒ、ＦＥＴ２５１ｇ、ＦＥＴ２５１ｂのゲートには、タイミング生成回路２１６から、点灯パルスＰｒ、Ｐｇ、Ｐｂがそれぞれ供給される。ＦＥＴ２５１ｒ、ＦＥＴ２５１ｇ、ＦＥＴ２５１ｂのソースがライン２５４に接続される。
【０１４２】
ライン２５４には、ＦＥＴ２５６のドレインが接続される。ＦＥＴ２５６のソースが演算増幅器２５８の反転入力端子に接続されると共に、ＦＥＴ２５６のソースと接地間に、抵抗２６０が接続される。
【０１４３】
タイミング生成回路２１６で、Ｒ色の発光期間、Ｇ色の発光期間、Ｂ色の発光期間毎に、点灯パルスＰｒ、Ｐｇ、Ｐｂが生成される。また、ＲＯＭ２６６からは、各色の発光期間毎に、所望の駆動電流を設定するためのデータが出力される。この電流設定データがＡ／Ｄコンバータ２６７を介して、演算増幅器２５８の非反転入力端子に供給される。
【０１４４】
Ｒ色の発光期間では、点灯パルスＰｒがＨレベルになり、ＦＥＴ２５１ｒがオンする。これにより、ＬＥＤ２２２ｒに電流が流れ、ＬＥＤ２２２ｒが点灯する。Ｇ色の発光期間では、点灯パルスＰｇがＨレベルになり、ＦＥＴ２５１ｇがオンする。これにより、ＬＥＤ２２２ｇに電流が流れ、ＬＥＤ２２２ｇが点灯する。Ｂ色の発光期間では、点灯パルスＰｂがＨレベルになり、ＦＥＴ２５１ｂがオンする。これにより、ＬＥＤ２２２ｂに電流が流れ、ＬＥＤ２２２ｂが点灯する。
【０１４５】
このとき、ＬＥＤ２２２ｒ、２２２ｇ、２２２ｂに流れる電流は、ＦＥＴ２５６を流れる電流により決まる。演算増幅器２５８の非反転入力端子には、ＲＯＭ２６６から読み出された電流値の設定データに基づく設定電圧が供給される。演算増幅器２５８の出力電圧はＦＥＴ２５５のゲートに印加され、ＦＥＴ２５５のソース電圧は、演算増幅器２５８の反転入力端子にフィードバックされる。したがって、ＦＥＴ２５６のゲートには電流値の設定データに基づく電圧が印加され、ＦＥＴ２５６には、所望の電流が流される。これにより、ＬＥＤ２２２ｒ、２２２ｇ、２２２ｂに所望の駆動電流を流すことができる。ＬＥＤの駆動電流は、抵抗２６０により検出され、Ａ／Ｄコンバータ２６８を介して、タイミング生成回路２１６に送られる。
【０１４６】
このような固定照明方式のプロジェクタの場合にも、電源回路２４０の出力電圧を最適に設定する必要がある。この場合には、図８又は図９に示した処理と同様な処理により、電源回路２４０の出力電圧を最適に設定することができる。
【０１４７】
１２．固定照明方式のプロジェクタの電源制御回路の第２の例
図２１は、上述の回転光学系を用いたプロジェクタにおけるＬＥＤ駆動回路２１７の電源制御回路の第２の例を示すものである。この例では、ＬＥＤからの光量を検出し、これに応じて、ＬＥＤの発光量を制御するフィードバックループが設けられている。
【０１４８】
図２１において、フォトセンサ２７１により、ＬＥＤの光量がモニタされる。この光量検出信号は、ＩＶ変換回路２８０に供給される。ＩＶ変換回路２８０により、ＩＶ変換回路２８０は、フォトセンサ２７１の出力電流を電圧値に変換するものである。つまり、ＩＶ変換回路２８０の抵抗２８２で電流値が電圧値として取り出され、この抵抗２８２の電圧値がバッファアンプ２８３を介して出力される。ＩＶ変換回路２８０のゲインは、バッファアンプ２８３のゲインをディジタルポテンショメータ２８１により制御することで設定することができる。このＩＶ変換回路２８０の出力は、演算増幅器２５８の反転入力端子に供給されると共に、Ａ／Ｄコンバータ２６９を介して、タイミング生成回路２１６に供給される。
【０１４９】
ＬＥＤの光量が低下すると、フォトセンサ２７１からの光量信号が低下し、ＩＶ変換回路２８０の出力が低下する。このため、演算増幅器２５８の反転入力端子への信号レベルが低下し、演算増幅器２５８の出力が増加する。よって、ＦＥＴ２５６のゲート電圧が上昇し、ＬＥＤの電流が増加し、ＬＥＤの光量が増加する。これにより、ＬＥＤの光量が所定の光量となるように制御される。この場合には、図１２又は図１３に示した処理と同様な処理により、電源回路２４０の出力電圧を最適に設定することができる。
【０１５０】
１３．固定照明方式のプロジェクタの電源制御回路の第３の例
図２２は、固定照明方式のプロジェクタのＬＥＤ駆動回路２１７の電源制御回路の第３の例を示すものである。この例では、フォトセンサ２７１からの検出出力で、電源回路２４０の出力電圧を直接制御して、ＬＥＤの光量が所定光量となるように制御している。
【０１５１】
つまり、図２１に示すように、フォトセンサ２７１からの検出電流は、ＩＶ変換回路２８０で電圧値として出力される。バッファアンプ２８３の出力電圧は、抵抗２４８及び抵抗２４９からなるブリーダ抵抗の接続点から取り出され、ＤＣ−ＤＣ制御回路２４１のフィードバック端子ＦＢに供給される。
【０１５２】
ＤＣ−ＤＣ制御回路２４１により設定された電圧により、ＬＥＤ２２２ｒ、ＬＥＤ２２２ｇ、ＬＥＤ２２２ｂに駆動電流が流される。これにより、フォトセンサ２７１の検出出力に応じて、電源回路２４０の出力電圧が制御されて、所定光量となるように、各ＬＥＤが点灯される。
【０１５３】
以上説明したように、本発明の実施形態では、ＬＥＤ駆動回路に印加する電圧を、低電圧値から徐々に上昇させていき、所定の電流値又は所定の光量値になったときの電圧値に基づいて、設定している。これにより、ＬＥＤの駆動電圧を各ＬＥＤの順方向電圧Ｖｆよりやや高い最適な電圧値に設定することができ、ＬＥＤの明るさを最適に保てると共に、無駄な電力が消費されることを防ぐことができる。
【０１５４】
なお、上述の実施形態では、ＬＥＤ駆動回路に印加する電圧を、低電圧値から徐々に上昇させているが、ＬＥＤ駆動回路に印加する電圧を、高電圧値から徐々に下降させていき、所定の電流値又は所定の光量値が得られなくなったときの電圧値を検出し、所定の電流値又は所定の光量値が得られなくなったときの電圧値より僅かに高い電圧を接地電圧としても良い。
【０１５５】
本発明は、上述した実施形態に限定されるものではなく、この発明の要旨を逸脱しない範囲内で様々な変形や応用が可能である。
【産業上の利用可能性】
【０１５６】
本発明は、ＬＥＤを光源とするプロジェクタの他、所望の光量や所望の電流でＬＥＤを駆動するものに利用することができる。
【図面の簡単な説明】
【０１５７】
【図１】本発明が適用できる回転光学系を用いたプロジェクタの一例を示すブロック図である。
【図２】本発明が適用できる回転光学系を用いたプロジェクタにおける回転光学系の説明図である。
【図３】本発明が適用できる回転光学系を用いたプロジェクタにおける電源制御回路の第１の例のブロック図である。
【図４】発光色の異なるＬＥＤの順方向電圧特性の違いを説明するためのグラフである。
【図５】同一色内のＬＥＤの特性の順方向電圧特性違いを説明するためのグラフである。
【図６】同一色内のＬＥＤの光量特性の違いを説明するためのグラフである。
【図７】電源電圧制御の第１の例の説明に用いるフローチャートである。
【図８】電源電圧制御の第２の例の説明に用いるフローチャートである。
【図９】電源電圧制御の説明に用いるタイミング図である。
【図１０】本発明が適用できる回転光学系を用いたプロジェクタにおける電源制御回路の第２の例のブロック図である。
【図１１】フォトセンサの感度特性の説明に用いるグラフである。
【図１２】電源電圧制御の第３の例の説明に用いるフローチャートである。
【図１３】電源電圧制御の第４の例の説明に用いるフローチャートである。
【図１４】データによる電圧制御の説明に用いるブロック図である。
【図１５】データによる電圧制御を行う場合の説明図である。
【図１６】データによる電圧制御を行う場合の説明図である。
【図１７】データによるゲイン制御の説明に用いるブロック図である。
【図１８】本発明が適用できる回転光学系を用いたプロジェクタにおける電源制御回路の第３の例のブロック図である。
【図１９】本発明が適用できる固定照明方式を用いたプロジェクタの一例を示すブロック図である。
【図２０】本発明が適用できる固定照明方式を用いたプロジェクタにおける電源制御回路の第１の例のブロック図である。
【図２１】本発明が適用できる固定照明方式を用いたプロジェクタにおける電源制御回路の第２の例のブロック図である。
【図２２】本発明が適用できる固定照明方式を用いたプロジェクタにおける電源制御回路の第３の例のブロック図である。
【符号の説明】
【０１５８】
１：制御回路、
２：メモリ、
３：入力部、
４：表示部、
１２：ＤＭＤ駆動制御回路、
１５：ＤＭＤ素子、
１６：タイミング生成回路、
１７：ＬＥＤ駆動回路、
２０：モータ駆動回路、
２１：回転光学系、
２２ｒ、２２ｇ、２２ｂ：ＬＥＤ、
２３：回転ロッド、
２４：モータ
２６：ＬＥＤ基板
４０：電源回路、
４１：ＤＣ−ＤＣ制御、
５１ｒ、５１ｇ、５１ｂ：ＦＥＴ、
６６：ＲＯＭ
【図１】
2007005615.tif 000003
【図２】
2007005615.tif 000004
【図３】
2007005615.tif 000005
【図４】
2007005615.tif 000006
【図５】
2007005615.tif 000007
【図６】
2007005615.tif 000008
【図７】
2007005615.tif 000009
【図８】
2007005615.tif 000010
【図９】
2007005615.tif 000011
【図１０】
2007005615.tif 000012
【図１１】
2007005615.tif 000013
【図１２】
2007005615.tif 000014
【図１３】
2007005615.tif 000015
【図１４】
2007005615.tif 000016
【図１５】
2007005615.tif 000017
【図１６】
2007005615.tif 000018
【図１７】
2007005615.tif 000019
【図１８】
2007005615.tif 000020
【図１９】
2007005615.tif 000021
【図２０】
2007005615.tif 000022
【図２１】
2007005615.tif 000023
【図２２】
2007005615.tif 000024